(57)【要約】 【課題】  ガラス清掃作業の効率と、安全性を高めること。【解決手段】  一般的なガラス清掃用スクイジー１と、これに対し着脱可能な着脱式ウオッシャー６とで構成する。ガラス清掃用スクイジー１と着脱式ウオッシャー６を一体化させることにより、従来両手を使って作業したり、持ち替えたりして作業をしていたものを、片手で作業できることにより、作業時間の短縮及び安全性を高めることができる。【選択図】  図６
2011104196.tif 000002
【特許請求の範囲】
【請求項１】
先端側にガラス面の水切りの為に突出するスクイジー用ゴムと、このゴムに対してその後端縁を挟むように固定されたスクイジー用チャンネルと、このチャンネルに対し後方に突出するように固定されたハンドルとからなるガラス清掃用スクイジーに対し着脱可能に構成した、ガラス清掃用スクイジーに用いる着脱式ウオッシャーであって、
保水布体と、この保水布体を上記チャンネルの後端縁に対し着脱可能に取り付ける取り付け部とを備え、
上記取り付け部は、弾性素材又は弾塑性素材により上記チャンネルの後端縁に臨んだ取り付け口が開口する断面形状を有するように形成され、上記取り付け口を上記チャンネルの後端縁に押し込むことにより外嵌され、弾性復元力により外嵌状態が保持されるように構成されている、
ことを特徴とするガラス清掃用スクイジーに用いる着脱式ウオッシャー。
【請求項２】
請求項1に記載のガラス清掃用スクイジーに用いる着脱式ウオッシャーであって、上記取り付け部は、Ｃの字状の断面形状を有し、上記取り付け口が上記チャンネルの後端縁の厚みよりもわずかに狭い開口幅を有するように形成されている、ガラス清掃用スクイジーに用いる着脱式ウオッシャー。
【請求項３】
請求項１又は請求項２に記載のガラス清掃用スクイジーに用いる着脱式ウオッシャーであって、
上記清掃用スクイジーは、そのスクイジー用ハンドルがスクイジー用チャンネルの長手方向中央部に対し固定され、
上記保水布体は、上記ハンドルの固定部位に対応する位置に凹部を有している、ガラス清掃用スクイジーに用いる着脱式ウオッシャー。
【発明の詳細な説明】
【技術分野】
【０００１】
本発明は、ガラス清掃用スクイジーに対し着脱し得る着脱式ウオッシャーに関する。
【背景技術】
【０００２】
従来は、ガラス清掃用スクイジーと、ガラス清掃用ウオッシャーとは、別々の道具であり、両手を使って作業したり、持ち替えたりして作業していた。
【０００３】
例えば、特許文献１には、ウオッシャーの代わりに、水分を直接ガラス面に噴霧させることでガラス面を濡らす装置をスクイジーに取り付けているが、装置自体や水分を貯水するものが大きくなったり、重くなったりする。よって高所作業や狭い場所での作業が困難である。
【先行技術文献】
【特許文献】
【０００４】
【特許文献１】特開２００６−２１１３１３号公報
【発明の概要】
【発明が解決しようとする課題】
【０００５】
上述のごとく、従来は、ガラス清掃用スクイジーと、ガラス清掃用ウオッシャーとの２種類の道具を用い、まず水分を含ませたガラス清掃用ウオッシャーをガラス面に沿わせてガラス面を濡らし、次にガラス清掃用ウオッシャーからガラス清掃用スクイジーに持ち替えるか、もしくは、もう片方の手でスクイジーをガラス面に沿って擦り付けて水分切り取るようにしている。
【０００６】
ところが、ガラス清掃作業では、いつも容易に作業ができる場所や状況とは限らず、例えば脚立や梯子の上に登っての高所作業や、狭い場所での作業又は窓枠より片手で支えながら屋外に身体を乗り出してするような作業もある。このような場合に、２種類の道具で両手を使ったり、持ち替えたりするとその切換えの際に姿勢が不安定になったり、安全性を損ねたりする結果を招き易くなる。
【０００７】
そこで本発明では、一体式の道具で作業をすることにより安全で迅速な作業を実現するために、ウオッシャーによる濡らし作業と、スクイジーによる水分カット作業とを一つの道具で行えるようにした、ガラス清掃用スクイジーに用いる着脱式ウオッシャーを提供することを目的とする。
【課題を解決するための手段】
【０００８】
上記目的を達成するために、本発明では、先端側にガラス面の水切りの為に突出するスクイジー用ゴムと、このゴムに対してその後端縁を挟むように固定されたスクイジー用チャンネルと、このチャンネルに対し後方に突出するように固定されたハンドルとからなるガラス清掃用スクイジーに対し着脱可能に構成した、ガラス清掃用スクイジーに用いる着脱式ウオッシャーであって、保水布体と、この保水布体を上記チャンネルの後端縁に対し着脱可能に取り付ける取り付け部とを備え、上記取り付け部は、弾性素材又は弾塑性素材により上記チャンネルの後端縁に臨んだ取り付け口が開口する断面形状を有するように形成され、取り付け口を上記チャンネルの後端縁に押し込むことにより外嵌され、弾性復元力により外嵌状態が保持されるようにすることとした（請求項１）。
又、取り付け口としてＣの字状の断面形状を有し、上記取り付け口を上記チャンネルの後端縁の厚みよりもわずかに狭い開口幅を有するように形成することもできる（請求項２）。
さらに、ガラス清掃用スクイジーとして、そのスクイジー用ハンドルがスクイジー用チャンネルの長手方向中央部に対し固定されたものとし、上記保水布体として、上記ハンドルの固定部位に対応する位置に凹部を有したものとすることもできる（請求項３）。
【発明の効果】
【０００９】
本発明に係る着脱式ウオッシャーによれば、この着脱式ウオッシャーをガラス清掃用スクイジーに装着して一体化することにより、従来両手を使った作業や、持ち替えながらしていた作業が、片手で出来るようになる。これにより、濡らし作業から水分カット作業への切り替えの際に、姿勢が不安定になることはなく、高所作業又は、狭い場所での作業であっても安全で迅速な作業を行うことができるようになる。
特に請求項２によれば、ガラス清掃用スクイジーに対し着脱式ウオッシャーを容易かつ確実に取り付けたり外したりすることができるようになる。
さらに請求項３によれば、着脱式ウオッシャーをガラス清掃用スクイジーに対し取り付ける際に、凹部の形成により、保水布とハンドルとの干渉を回避して、ガラス清掃用スクイジーによる作業を確実に行えるようになる。
【図面の簡単な説明】
【００１０】
【図１】本発明に係わるガラス清掃用スクイジーに対する着脱式ウオッシャーの装着方法を示す概略斜視図である。
【図２】本発明の着脱式ウオッシャーの背面概略斜視図である。
【図３】図２におけるＡ−Ａ線断面を上下逆転した状態で示す断面説明図、及び、その部分拡大図である。
【図４】清掃用スクイジーに着脱式ウオッシャーを装着する手順を描いた図である。
【図５】清掃用スクイジーに着脱式ウオッシャーを装着した状態の片側端部分の部分斜視図である。
【図６】本発明に係わる着脱式ウオッシャーによるガラス面をぬらす操作を説明する概略斜視図である。
【図７】清掃用スクイジーに着脱式ウオッシャーを装着した状態で、保水布体によりガラス面を濡らした後、自重で垂れ下がり、水分をかき取る為にスクイジー用ゴムを露出させる動作を説明する断面説明図である。
【図８】図６におけるガラス面をぬらす操作の後、ガラス面の水分をかき取る為の操作を説明する概略斜視図である。
【発明を実施するための形態】
【００１１】
図面に基づいて説明する。
図１におけるスクイジー１は、水分を切り取る為のスクイジー用ゴム２とそれを挟むことで支えるスクイジー用チャンネル３と、それを保持する為のスクイジー用ハンドル４とで出来ている。このスクイジー１に対し本発明の実施形態としての着脱式ウオッシャー５は、所定サイズの保水布体６に対し取り付け部７，７をカシメ８，８…で取り付けたものである。
【００１２】
取り付け部７，７は、例えばＣの字状の断面形状を有し（図３参照）、弾性又は弾塑性の材料により形成されている。このような取り付け部７は、弾力性のあるゴムやプラスチックで形成すればよく、取り付け口９が上記チャンネル３の後述の膨出縁部３１の厚みよりもわずかに狭い開口幅を有するように形成されている。そして、この、取り付け口９が後述の押し込み操作によって開くことで取り付けられて、元に戻ることによって固定されるようになっている。
【００１３】
かしめ８は、各取り付け部７に対し２ヶ所以上（図例では３ヶ所）固定すればよい。なお、取り付け部７の保水布体６に対する取り付けは、カシメ８の他に接着剤、縫製、面ファスナーを用いてもよい。
【００１４】
図１におけるスクイジー１に対する着脱式ウオッシャー５の装着方法は、スクイジー用チャンネル３の丸状に膨らんでいる部分であってスクイジー用ハンドル４が取り付けられていない両側の部分に対し、着脱式ウオッシャー５の取り付け部７を押し込むように挟んで装着する。例えば、図４に示すように取り付け口９をスクイジー用チャンネル３の後端縁としての膨出縁部３１に向けた状態で取り付け部７を押し込めばよい。この押し込みする操作により、取り付け口９が開いて内部にスクイジー用チャンネル３が入り込み、取り付け口９が閉じることにより挟み込まれる。
【００１５】
保水布体６は、スクイジー１の長手方向の長さとほぼ同じ長さでスクイジー１のスクイジー用ゴム２の周囲を巻き込み得る幅（図６参照）をそなえている。加えて長手方向中央部に、スクイジー１のスクイジー用ハンドル４との干渉を避けるための凹部１０を備えている。又、保水布体６としては、綿や化学繊維で出来ているタオル地やマイクロファイバーで形成されている。これにより水分を一定量吸収し得るようになっている。
【００１６】
スクイジー１に着脱式ウオッシャー５を取り付けた状態でその保水布体６に水分を吸収させてガラス清掃を行う手順は、図６のように保水布体６でスクイジー１のスクイジー用ゴム２の周囲を巻き込んだ状態にし、この状態でガラス面１１とスクイジー用ゴム２の間に着脱式ウオッシャー５の保水布体６を挟みガラス面１１に擦り付けて水分を塗り広げる。次に、図８のようにガラス面１１から全体を浮かせる事で保水布体６が自重で垂れ下がる（図７左側部分の実線から一点鎖線に変化）。その後、スクイジー用ゴム２でガラス面１１の水分を切り取る。
【００１７】
このようにスクイジーとウオッシャーを一体化させる事により、従来両手を使ったり持ち替えたりしながら行っていた作業が片手で出来るようになり、高所作業や、狭い場所での作業が安全かつ迅速にできるようになる。
【符号の説明】
【００１８】
１    スクイジー
２    スクイジー用ゴム
３    スクイジー用チャンネル
４    スクイジー用ハンドル
５    着脱式ウオッシャー
６    保水布体
７    取り付け部
８    カシメ
９    取り付け口
１０  凹部
１１  ガラス面
３１  膨出縁部
【図１】
2011104196.tif 000003
【図２】
2011104196.tif 000004
【図３】
2011104196.tif 000005
【図４】
2011104196.tif 000006
【図５】
2011104196.tif 000007
【図６】
2011104196.tif 000008
【図７】
2011104196.tif 000009
【図８】
2011104196.tif 000010